(57)【要約】  圧縮される粉末状または粒状の医薬品を収容するホッパ（２）と、該ホッパ（２）によって供給される規定量の医薬品を収容するように設計された型（５）を備える回転ディスク（４）と、粉末状の製品を圧縮すると共に複数の圧縮動作ステーション（１０）を構成する往復動するパンチ（８、９）とを備える、タブレット製品用の回転タレット（３）を有するタイプのタブレットプレス機（１）が、複数の動作ステーションが、動作を規制するように改良された構造を備える少なくとも一組の動作ステーション（１０ａ）を有し、改良された各動作ステーション（１０ａ）が、ホッパ（２）から型（５）へ製品が通過するのを防止するように型（５）に嵌め込まれるように設計されたバリア手段（１１）と、往復動するパンチ（８、９）に連結されると共にパンチ（８、９）と連動し、粉末状の製品の存在をシミュレートするためにバリア手段（１１）と連動するように設計された弾性反力手段（１２）とを有する。
2007517673.tif 000002
【特許請求の範囲】
【請求項１】
圧縮される粉末状または粒状の医薬品を収容するホッパ（２）と、該ホッパ（２）によって供給される規定量の医薬品を収容するように設計された型（５）を備える回転ディスク（４）と、粉末状の製品を圧縮すると共に複数の圧縮動作ステーション（１０）を構成する往復動するパンチ（８、９）とを備える、タブレット製品用の回転タレット（３）を有するタイプのタブレットプレス機（１）において、前記複数の動作ステーションが、動作を規制するように改良された構造を備える少なくとも一組の動作ステーション（１０ａ）を有し、改良された構造を備える前記各動作ステーション（１０ａ）が、前記ホッパ（２）から前記型（５）へ製品が通過するのを防止するように前記型（５）に嵌め込まれるように設計されたバリア手段（１１）と、往復動する前記パンチ（８、９）に連結されると共にパンチ（８、９）と連動し、且つ、粉末状の製品の存在をシミュレートするために前記バリア手段（１１）と連動するように設計されたスプリング反力手段（１２）とを有することを特徴とするタブレットプレス機（１）。
【請求項２】
前記バリア手段（１１）が、前記往復動するパンチ（８、９）と接触する前記スプリング反力手段（１２）を構成するように、各型（５）に取り付けられると共に弾性要素（１４）を収容するように設計された中空の円筒形本体（１３）を有することを特徴とする請求項１に記載のタブレットプレス機。
【請求項３】
前記円筒形本体（１３）が閉じた底部（１３ａ）を有することを特徴とする請求項２にい記載のタブレットプレス機。
【請求項４】
前記弾性要素が前記パンチ（８、９）周りに巻かれているスプリング（１４）から成ることを特徴とする請求項２または３に記載のタブレットプレス機。
【請求項５】
前記パンチ（８、９）が複数の対の往復動するパンチ（８、９）を有し、各対が上側のパンチ（８）とそれぞれ下側のパンチ（９）からなり、前記スプリング（１４）が各対の前記二つのパンチ（８、９）の少なくとも一つと関連することを特徴とする請求項４に記載のタブレットプレス機。
【請求項６】
前記スプリング（１４）が前記上側のパンチ（８）と関連する請求項５に記載のタブレットプレス機。
【発明の詳細な説明】
【技術分野】
【０００１】
本発明は、タブレット、特に、製剤分野に用いられるタブレット製造用のタブレットプレス機に関する。
【背景技術】
【０００２】
タブレット、特に、製剤用途のタブレットが、現在、粉末状または粒状の材料または製品を圧縮することによって動作するタブレットプレスとして知られる機械によって作られることは公知である。
【０００３】
ある従来のタブレットプレスは、大体は、タブレットを定量的に投与して形成するために、縁部周辺に均一に分布した複数の台座または型を備える第一回転ディスクから成るタレットに粉末状または粒状の物質を収容し、且つ、供給する供給ホッパを有している。
【０００４】
タブレットは、前記タレットの一部を形成する二つの別のディスク周りに均一に分布した向かい合って往復動するパンチによって形成される。これら二つの別のディスクは、第一回転ディスクの上下に配置され、第一ディスクの軸線周りにそれと同調して連続的に回転する。
【０００５】
一つが上で一つが下である各対の二つのパンチは、同時に単一の型に接近し、そして、ディスクが回転するに連れて徐々に増加する所定の力で以て、タブレットが形成されるまで型内で一回分の製品を圧縮する。
【０００６】
従って、タブレットプレスは、粉末状または粒状の製品が、形成台座または形成型内に注入される正確な角度位置と、製品が圧縮される別の位置と、そして、第一ディスクの近くで、形成されたタブレットが排出シュートに向かって取り外されるさらに別の位置とを有し、実際には、タブレットは、前述のディスクが完全に一回転することによって形成される。
【０００７】
通常、高い生産性の特徴を備える（故に、通常は試験用でない）前述のタイプのタブレットプレスは、研究目的または試験目的のために、例えば、新しい粉末状の製品で作られたタブレットをテストするためにも用いられる。
【０００８】
これを実施するため、テストされる粉末状の製品のわずかの量をタブレットプレスに供給する。（タブレットプレス機は部分的な供給で動作しなければならないので、）この供給が行われる前に、圧縮タレットの動作ステーションのいくつかは、それらがタブレットを作り出さないように回転ディスクの規定された円弧内で規制されている。
【０００９】
すなわち、規制された対のパンチの台座または型は、それらの往復動を可能にするすべての機械部品と共に、回転ディスクから物理的に取り外されている。
【００１０】
さらに、規制された圧縮台座に至る粉末供給通路が、好適なプラグを用いてシールされている。
【００１１】
従って、タレットがこのように構成された状態で、動作ユニットは、タブレットプレス機の限定された角度の扇形領域のみに、試験目的でタブレットを製造することが可能であり、残りのタレットは、通常の角速度で回転を続けるが、動作要素が取り外されたのでタブレットを製造できない。
【００１２】
しかし、この特別の構成が問題となる場合がある。
【００１３】
確かに、動作ユニットの取り外しと再組立は、時間がかかる根気のいる仕事であり、それは高い生産性のタブレットプレス機においては重大な欠点である。また、規制された動作ステーションからパンチを取り外すことは、規制された部分を塞ぐために用いられる要素が不完全にシールされることによって生じるリークのせいで、潤滑油または潤滑グリースのような望ましくない物質が稼働したままの動作ステーションに進入するという危険が生じる。そして、これは、実施されるテストを無効にするような異物混入を招いてしまう。別の重大な問題は、タレットの回転中に、タレットの単一動作の領域に残っているパンチが、パンチが取り除かれた残りの領域の規制された動作ステーションで釣り合いが取られないことによるテスト中の不規則な力の分布である。
【００１４】
これは、動作中のパンチを損傷する恐れがあり、テストされる粉末でタブレットを製造する目的にとって無駄なテスト結果になってしまう。
【発明の開示】
【発明が解決しようとする課題】
【００１５】
従って、本発明は、いくつかの動作ステーションのみで、素早く且つ効果的に研究目的および試験目的のタブレットを製造するのに適したタブレットプレス機を提供し、不作動のステーションを含むタレットのすべての動作ステーションで均衡の取れた力の分布を維持することによって前述の欠点を克服することを目的とする。
【課題を解決するための手段】
【００１６】
従って、本発明は、圧縮される粉末状または粒状の医薬品を収容するホッパと、該ホッパによって供給される規定量の医薬品を収容するように設計された型を備える回転ディスクと、粉末状の製品を圧縮すると共に複数の圧縮動作ステーションを構成する往復動するパンチとを備える、タブレット製品用の回転タレットを有するタイプのタブレットプレス機において、前記複数の動作ステーションが、動作を規制するように改良された構造を備える少なくとも一組の動作ステーションを有し、改良された構造を備える各動作ステーションが、ホッパから型へ製品が通過するのを防止するように型に嵌め込まれるように設計されたバリア手段と、往復動するパンチに連結されると共にパンチと連動し、粉末状の製品の存在をシミュレートするためにバリア手段と連動するように設計された弾性反力手段とを有することを特徴とするタブレットプレス機を供給する。
【発明を実施するための最良の形態】
【００１７】
前述の目的に関する本発明の技術的特徴は、特許請求の範囲に明確に記載されており、その利点は、発明の概念の範囲を制限することなく単に実施例の目的で提供される本発明の好適な実施形態を示す添付図面を参照しながら、以下に記載する詳細な説明から明らかになる。
【００１８】
図１および図２を参照して、参照符号１は、全体として、特に製薬用途のタブレットに限定されることなくタブレット（通常のタイプのものであるので図示略）を製造するために用いられるタブレットプレス機を示す。
【００１９】
タブレットプレス機１は、基本的に、（図１の矢印Ｆで示されるように）鉛直軸線Ｚ周りで回転する第一ディスク４から成るタレット３に粉末状または粒状の製品を供給するためのホッパ２を有し、前記第一ディスク４がその外周付近に均一に分布した型または台座５を備え、ホッパ２が径方向の通路５ａを介して製品を台座５に供給し、通路５ａは、台座５が充填され、そして、必要な用量の高さにまでなるように製品を通過させるようにホッパ２に始まり台座５内へ開いており、さらにタブレットプレス機１は、第一ディスク４の上と下とにそれぞれ配置された第二ディスク６および第三ディスク７を有し、これら第二、第三ディスクが、鉛直軸線Ｚ周りで回転し、且つ、複数の上側の往復動するパンチ８および下側の往復動するパンチ９がそれぞれ取り付けられており、これらパンチは、カム手段８ａおよび９ａによってそれぞれ駆動させられると共に、個々のタブレットを形成するために粉末状の製品を圧縮する動作ステーション１０をそれぞれ構成する。
【００２０】
研究目的で行われる試験的なテストを可能にするために、すなわち、タブレットプレス機１が粉末状の製品のわずかの量で動作可能となるようにするために、本発明によるタブレットプレス機１の動作ステーション１０が、（図１に示すように）二つの分離したセットまたはグループに分割される。参照符号１０ｂで示され、第一の規定された円弧Ｌ周囲に配置された動作ステーションのセットＢは、従来型の改良されていない動作構造を有し、それに対して、参照符号１０ａで示され、第一円弧Ｌに相互補完的である第二円弧Ｋ周囲に配置された動作ステーションの別のセットＡは、以下により詳細に記載されるように、それらが、「無負荷」状況下で動作が規制されて動作するように、構造的に適合されまたは改良される。
【００２１】
セットＡの各無負荷の動作ステーション１０ａは、粉末状の製品が台座５に到達しないように通路５ａを塞ぐバリアを作り出す手段１１と、該手段１１に連結されると共に連動して作動する弾性反力手段１２とを有する。
【００２２】
図３および４に詳細に示すように、弾性反力手段１２は、バリア手段１１とそれぞれのパンチ８および９との間に、図３および４に示される限定的でない実施例においてはバリア手段１１と上側のパンチ８との間に配置される。
【００２３】
再び図３および４を参照すると、バリア手段１１は、台座５自体の場所に第一ディスク４のそれぞれの台座５に嵌め込まれた中空の円筒形本体１３を有し、その中空の内部が、パンチ８と上部で接触する前述の弾性反力手段１２を構成する弾性要素１４を収容する。
【００２４】
実際には、中空の本体１３は「止まり穴」の台座または型、すなわち、粉末状の製品が通り抜けてしまうのを防ぐように設計された、シールされた台座を形成するようにされている。
【００２５】
弾性要素１４は、好ましくは、スプリング１４であり、該スプリング１４は、上側のパンチ８が下ろされ、台座５に配置された粉末状の製品と衝突すると、セットＢの動作ステーション１０ｂの動作配置において、パンチ８に通常加えられる反力をシミュレートするように、上側のパンチ８の動作端部周りに巻かれていると共にその他方の端部で円筒形本体１３の閉じた底部１３ａと接触している。従って、タブレットプレス機１は、粉末状の製品の量を減少させた状態でさえ、実際には、すべての動作ステーション１０がセットＢと同様の構造の配置を有するかのように正確に動作する。
【００２６】
改良した動作ステーション１０ａの一つの例において、スプリング１４は、上側のパンチ８自体の第一カラー８ｂで上側のパンチ８の前述の動作範囲に直接取り付けられている（図４の右手の動作ステーション１０ａ参照）。
【００２７】
この特定の例において、スプリング１４が取り付けられた上側のパンチ８を事前に準備することができる。
【００２８】
すべての動作ステーション１０ａの下側のパンチ９が取り外されている。
【００２９】
同様に、第二の例を図４の右側の動作ステーション１０ａに示す。
【００３０】
この特定の場合において、円筒形本体１３は、スプリング１４の下方端部が置かれている前述の底部１３ａを形成する下方の第二カラー１３ｂを有する。
【００３１】
さらに具体的に言うと、第二カラー１３ｂは、下側のパンチ９が円筒形本体１３内に部分的に挿入されたときに干渉しないように、下側のパンチ９の直径Ｄ１よりも大きい直径Ｄを有する円筒形本体１３の下方の開口を形成する。
【００３２】
明らかに、この場合において、上側のパンチ８によって加えられる力に対抗するスプリング１４の負荷は、二つのパンチ８および９間での直接的な接触を避けるように算出されなければならない。
【００３３】
図４の右側の動作ステーション１０ａは、さらに別のバリア手段１１の例を示す。
【００３４】
この構成上の解決方法において、円筒形本体１３は茶碗型であり、上側のパンチ８に対抗し、取り付けられるスプリング１４を収容する。
【００３５】
従って、茶碗型の円筒形本体１３は、この場合は、タブレットプレス機１が試験目的で用いられる前に、セットＡの部分を形成する動作ステーション１０ａから取り外される、下側のパンチ９の動作範囲で閉じた底面１３ｃを有する。
【００３６】
従って、このように構成され、特に、粉末状の製品がわずかの量の状態でさえ使用するのに適したタブレットプレス機１が、その構成部品にダメージを与える危険性を排し、ひいては、前述の目的を達成するように、関連する機械的な力に関して完全な釣り合いが取れている。
【００３７】
言い換えれば、不使用時の動作ステーションを再構成する可能性は、関連する機械的な力を正確に釣り合わせることができるように、粉末状の製品の量がわずかの量の状態のタブレットプレス機１の動作を最適化する。機械部品の損傷と摩耗は略ゼロであり、潤滑油のような好ましくない物質が台座または型内に進入するという危険性は略ない。
【００３８】
さらに、円筒形本体およびスプリングのために、個々の動作ステーションを素早く且つ簡単に準備することが可能となる。
【００３９】
当然のことながら、前述のタブレットプレス機は、本発明の概念の範囲から逸脱することなく様々な方法で改良し、構成することができる。さらに、タブレットプレス機のすべての細部は、技術的に均等な要素によって置換可能である。
【図面の簡単な説明】
【００４０】
【図１】タブレットプレス機の中央部分の略平面図である。
【図２】図１に示すタブレットプレス機の一部を明確にするため切り取られたいくつかの部品の断面および他の部品に関する横詳細図である。
【図３】いくつかの新しい部品をよく示すために切り取られたいくつかの部品の断面および他の部品に関する部分的な側面図における動作ステーションを示す、本発明によるタブレットプレス機の詳細を示す。
【図４】二つの異なる構造的解決方法において図３のタブレットプレス機の二つの動作ステーションの平面展開図である。
【図１】
2007517673.tif 000003
【図２】
2007517673.tif 000004
【図３】
2007517673.tif 000005
【図４】
2007517673.tif 000006
【国際調査報告】
2007517673.tif 000007
2007517673.tif 000008